(57)【要約】      （修正有）【課題】小型化／薄型化が可能で音質向上を考慮した安価な表示装置を提供する。【解決手段】表示パネルアッセンブリ２００の背面側において、少なくともスピーカー７００と、バックシャーシに対して前記スピーカー７００を部分的に覆う第２のカバー部材４０２を配設し、前記第２のカバー部材４０２の底面側には前記スピーカーの音を外部へ出力する出力孔を設け、前記カバー部材の後方には複数の微細孔を設ける。【選択図】図５
0003179027.tif 000002
【実用新案登録請求の範囲】
【請求項１】
フロントベゼルとバックシャーシで形成される空間内に映像を表示する部材を内蔵して構成する表示パネルアッセンブリの背面側において、少なくともスピーカーと、前記バックシャーシに対して前記スピーカーを部分的に覆う第２のカバー部材を配設し、前記第２のカバー部材の底面側には前記スピーカーの音を外部へ出力する出力孔を設け、前記カバー部材の後方には複数の微細孔を設けたことを特徴とする表示装置。
【請求項２】
前記第２のカバー部材は前記表示パネルアッセンブリの背面側下方に位置し、前記第２のカバー部材よりも上方位置で少なくとも電源回路と制御回路の基板と、前記電源回路と制御回路の基板を覆う第１のカバー部材とを配設し、前記第１のカバー部材と前記第２のカバー部材によって概略逆Ｔ字形状を成し、前記第１のカバー部材と前記第２のカバー部材には内部に連結孔を形成したことを特徴とする請求項１に記載の表示装置。
【請求項３】
前記第２のカバー部材には、前記バックシャーシとの当接部に複数の突起部を形成したことを特徴とする請求項１または請求項２に記載の表示装置。
【請求項４】
前記スピーカーは緩衝部材を介して第２のカバー部材に取付けたことを特徴とする請求項１乃至請求項３の何れか１項に記載の表示装置。
【考案の詳細な説明】
【技術分野】
【０００１】
本考案は、映像を表示するモニターやテレビジョン受像機などの表示装置に関する。
【背景技術】
【０００２】
近年の表示装置は、高さ寸法及び幅寸法に比べて奥行き寸法が小さい液晶セルを備えた薄型の表示装置が主流となっている。このような薄型の表示装置には、電源を供給するための回路基板や、外部から入力される信号を制御して前記液晶セルに映像を表示させるための回路基板などが取付けられており、構造の簡素化や表示装置の軽量化、薄型化、或いは意匠性の向上を図るためにさまざまな工夫が施されている。
【０００３】
例えば、特許文献１では、表示窓を備えたフロントキャビネットと、このフロントキャビネットの後方に配置されるバックキャビネットによって構成される筐体の内部に、補強板を基準として、映像を表示する部材をフロントベゼルとバックシャーシで形成される空間内に内蔵して構成される表示パネルアッセンブリと各種回路基板を取付け一体化したものを取付ける構造とし、表示装置の組立て工数の低減及び表示装置の薄型化を実現した内容が記載されている。
【０００４】
また、特許文献２では、シャーシを基準として表示パネルアッセンブリと、各種基板と、スピーカーを含む全ての内部構成部品を取付けた後にフロントキャビネットとバックキャビネットを取付ける構造とし、表示装置の組立て作業及びメンテナンス作業の簡略化、さらにはフロントキャビネット及びバックキャビネットの形状簡素化を実現した内容が記載されている。
【０００５】
【特許文献１】特開２０００−３１５０５４号公報
【特許文献２】特開２００７−１６３８６１号公報
【考案の開示】
【考案が解決しようとする課題】
【０００６】
特許文献１及び特許文献２の構造によれば、フロントキャビネットとバックキャビネットで構成される空間内にスピーカーを配設する構成となるが、音質向上を図るために出力の大きなスピーカーを採用したり、或いは電気的に音の改善が必要となることが懸念されると共に表示装置の小型化／薄型化が困難となる。また、スピーカーの振動で部品同士が干渉することによるビビリ現象を抑えるために別途緩衝材が必要となって部品点数の増加につながることが懸念される。
【０００７】
本考案は上述した点に鑑みてなされたものであって、小型化／薄型化が可能で音質向上を考慮した安価な表示装置を提供することにある。また、スピーカーの振動で部品同士が干渉することにより発生するビビリ現象を抑えることが可能な表示装置を提供することにある。
【０００８】
請求項１に係る表示装置は、フロントベゼルとバックシャーシで形成される空間内に映像を表示する部材を内蔵して構成する表示パネルアッセンブリの背面側において、少なくともスピーカーと、前記バックシャーシに対して前記スピーカーを部分的に覆う第２のカバー部材を配設し、前記第２のカバー部材の底面側には前記スピーカーの音を外部へ出力する出力孔を設け、前記カバー部材の後方には複数の微細孔を設けたことを特徴としている。
【０００９】
また、請求項２に係る表示装置は、請求項１に記載の表示装置であって、前記第２のカバー部材は前記表示パネルアッセンブリの背面側下方に位置し、前記第２のカバー部材よりも上方位置で少なくとも電源回路と制御回路の基板と、前記電源回路と制御回路の基板を覆う第１のカバー部材とを配設し、前記第１のカバー部材と前記第２のカバー部材によって概略逆Ｔ字形状を成し、前記第１のカバー部材と前記第２のカバー部材には内部に連結孔を形成したことを特徴としている。
【００１０】
また、請求項３に係る表示装置は、請求項１または請求項２に記載の表示装置であって、前記第２のカバー部材には、前記バックシャーシとの当接部に複数の突起部を形成したことを特徴としている。
【００１１】
また、請求項４に係る表示装置は、請求項１乃至請求項３の何れか１項に記載の表示装置であって、前記スピーカーは緩衝部材を介して第２のカバー部材に取付けたことを特徴としている。
【考案の効果】
【００１２】
以上のような本考案の構成によれば、表示パネルアッセンブリの背面側に配設する第２のカバー部材に微細孔を形成することで、表示装置の小型化を図りつつスピーカーの音質向上が可能となる。また、前記第２のカバー部材と第１のカバー部材の内部空間を連結孔を設けて共有することで、スピーカーの音質をさらに向上することが出来る。加えて、前記第２のカバー部材に複数の突起を設けてバックシャーシに当接する構造とすることで、スピーカーの振動を抑制出来、別途防振部材を設けることなく部品同士の干渉によるビビリ音の発生を抑えることが出来る。
【図面の簡単な説明】
【００１３】
【図１】本考案の実施例における表示装置を示す正面側斜視図。
【図２】本考案の実施例における表示パネルアッセンブリの構成を示す分解斜視図。
【図３】本考案の実施例におけるフロントベゼルの成形用金型を示す概略側面側断面図。
【図４】本考案の実施例におけるフロントベゼル単体の材料注入箇所を示す概略背面側部分拡大斜視図。
【図５】本考案の実施例における表示装置の構成を示す背面側分解斜視図。
【図６】本考案の実施例における第１のカバー部材の内面側を示す斜視図。
【図７】本考案の実施例における第２のカバー部材の内面側を示す分解斜視図。
【図８】本考案の実施例における第２のカバー部材の内面側を示す部分拡大斜視図。
【図９】本考案の実施例における第１のカバー部材と第２のカバー部材の連結箇所を示す部分断面斜視図。
【図１０】本考案の実施例における表示装置を示す概略背面図。
【図１１】本考案の実施例における第２のカバー部材を示す概略側面側断面図。
【図１２】本考案の実施例における表示装置の概略背面側透視図。
【考案を実施するための形態】
【００１４】
以下、本考案を実施するための最良の形態としての実施例を図１〜図１２を用いて説明する。
なお、本考案はその主旨に反しない範囲で、実施例において説明した構成以外のものに対しても容易に適用可能である。
【００１５】
図１は本考案の実施例における表示装置を示す正面側斜視図、図２は本考案の実施例における表示パネルアッセンブリの構成を示す分解斜視図である。同図の符号１００は表示装置、２００は前記表示装置１００の表示部を構成する表示パネルアッセンブリ、２０１はフロントベゼル、２０２は映像を表示する液晶セル、２０３は前記液晶セル２０２の後方側から光を透過する光源、２０４はバックシャーシ、２０５は前記光源２０３から照射される光を一方端面から受け入れて画面を均一に光らせるための導光板、２０６は前記導光板２０５によって誘導される光を拡散／集光するための光学シート、２０７は前記光学シート２０６の前方に位置するミドルフレーム、２０８は前記バックシャーシ２０４と前記導光板２０５の間に位置する反射シートを夫々表している。
【００１６】
本考案の実施例では、フロントベゼル２０１をポリスチレン等の樹脂材料で成形している。図３は本考案の実施例におけるフロントベゼルの成形用金型を示す概略側面側断面図、図４は本考案の実施例におけるフロントベゼル単体の材料注入箇所を示す概略背面側部分拡大斜視図である。同図で示すように、フロントベゼル２０１の背面側周縁の端部近傍には複数の材料注入箇所２０１ｊ，２０１ｊ，・・を設けている。そして、前記フロントベゼル２０１は固定側金型８００ｂにおいて材料の注入と成形品の離間を行うホットランナー成形で行っている。ホットランナー成形によって、スプルーやランナーの排出を抑えて成形品となるフロントベゼル２０１のみを排出することから余分な材料費を抑えることが出来る。また、材料注入箇所２０１ｊ，２０１ｊ，・・をフロントベゼル２０１の周縁端部近傍に設けることで、前記材料注入箇所２０１ｊと液晶セル２０２等の表示パネルアッセンブリ２００を構成する部品との干渉を防止出来る。そして、前記フロントベゼル２０１が表示パネルアッセンブリ２００の正面側を担うと共に、表示装置１００の正面側外装筐体を兼用しているため、別途正面側外装筐体を構成するフロントキャビネットが不要となり、薄型化および狭額縁化が可能な表示装置を提供することが出来る。なお、本考案におけるフロントベゼル２０１の材料はポリスチレンに限定するものではなく、一般的に樹脂と称される材料を適宜選定して用いれば良い。
【００１７】
また、本考案の実施例では、バックシャーシ２０４を鋼板等の金属部材で成形している。そして、前記バックシャーシ２０４が表示パネルアッセンブリ２００の背面側を担うと共に、表示装置１００の背面側外装筐体の一部を兼用しているため、別途背面側外装筐体を構成するバックキャビネットが不要となり、さらに薄型化が可能な表示装置を提供することが出来る。なお、本考案におけるバックシャーシ２０４の材料は鋼板に限定するものではなく、一般的に金属と称される材料を適宜選定して用いれば良い。
【００１８】
これらフロントベゼル２０１とバックシャーシ２０５を組付けることで形成される空間内には、液晶セル２０２および光源２０３を含む映像を表示するための各種部品を取付けることで表示パネルアッセンブリ２００が構成される。また、液晶セル２０２と駆動回路基板２０２ｂはフレキシブルプリント配線板２０２ｃ，２０２ｃ，・・を介して接続されている。そして、前記光源２０３は、前記表示パネルアッセンブリ２００の空間内において下方端部に配設され、前記駆動回路基板２０２ｂはバックシャーシ２０４の背面下側にねじ止めによって取付けられる。すなわち、前記表示パネルアッセンブリ２００の一方側に前記光源と前記駆動回路基板２０２ｂを配置することで、前記表示パネルアッセンブリ２００の他方側の厚み寸法を薄くすることが出来、表示部周縁の狭額縁化が一層可能となる。なお、本実施例の場合、表示パネルアッセンブリ２００の下方側に前記光源および前記駆動回路基板２０２ｂを集約して前記表示パネルアッセンブリ２００の上方側の厚み寸法を薄くする構成としているが、本考案は前述の構成に限定するものではなく上下左右の何れか一方に集約することが出来、表示装置の構造に応じて適宜選定すれば良い。
【００１９】
以上のように構成された表示パネルアッセンブリ２００は、樹脂製のフロントベゼル２０１によって従来のフロントキャビネットを兼用し、また、金属製のバックシャーシ２０４によって従来のバックキャビネットを兼用しているため、従来必要とされていた外装部品の削減に加え、表示装置の薄型化および軽量化、さらには表示部周縁の狭額縁化が実現可能となる。
【００２０】
つぎに、前記表示パネルアッセンブリ２００を含めた表示装置の構成について説明する。図５は本考案の実施例における表示装置の構成を示す背面側分解斜視図である。前記表示パネルアッセンブリ２００の背面側において、下側には前述の駆動回路基板２０２ｂが取付けてあり、略中央付近には切起しや曲げ加工等によって基板取付部（図示なし）が形成されている。本実施例では、前記基板取付部に対し、表示装置に電源を供給するための電源回路を含む基板（以下、単に電源基板と称す）３０１と、外部から入力される信号を制御して表示パネルアッセンブリ２００の表示部たる液晶セル２０２へ表示するための制御回路を含む基板（以下、単に制御基板と称す）３０２を取付ける構造としている。そして、前記バックシャーシ２０４の基板取付部（図示なし）に取付けられた前記電源基板３０１と前記制御基板３０２を覆う大きさのカバー部材（以下、第１のカバー部材と称す）４０１を取付けている。
【００２１】
図６は本考案の実施例における第１のカバー部材の内面側を示す斜視図である。同図で示すように、前記第１のカバー部材４０１の内部には前記電源基板３０１と前記制御基板３０２を仕切るための仕切リブ４０１ａが形成されている。これは、制御基板３０２の部品や線材が高電圧の電源基板３０１の部品に接触することによる破壊や故障の危険性を防止する目的で設けている。なお、電源基板３０１および制御基板３０２の取付けは本実施例の構成に限定するものではなく、例えば、第１のカバー部材４０１の内面側に基板取付部を形成して前記基板を取付ける構成としても良い。また、本実施例は電源回路と制御回路を別々の基板とした構成で説明したが、電源回路と制御回路を１つの基板にまとめた構成であっても良い。
【００２２】
図７は本考案の実施例における第２のカバー部材の内面側を示す分解斜視図、図８は本考案の実施例における第２のカバー部材の内面側を示す部分拡大斜視図、図９は本考案の実施例における第１のカバー部材と第２のカバー部材の連結箇所を示す部分断面斜視図、図１０は本考案の実施例における表示装置を示す概略背面図、図１１は本考案の実施例における第２のカバー部材を示す概略側面側断面図、図１２は本考案の実施例における表示装置の概略背面側透視図である。前記駆動回路基板２０２ｂおよび前記支持板５００が取付けられた表示パネルアッセンブリ２００の背面側下方を覆う大きさのカバー部材（以下、第２のカバー部材と称す）４０２を取付けており、同図で示すように、本実施例では、第２のカバー部材４０２にスピーカー取付部４０２ａ，４０２ａと、操作部４０２ｂと、操作基板取付部４０２ｃと、受発光基板取付部４０２ｄが形成されている。
【００２３】
前記第２のカバー部材４０２に形成されたスピーカー取付部４０２ａ，４０２ａには、ダンパー７００ａ，７００ａ，・・を介してスピーカー７００，７００が取付けられ、前記第２のカバー部材４０２の底面には前記スピーカー７００，７００から出力される音を表示装置１００の外部へ出力するための出力孔４０２ｈ，４０２が形成されている。本実施例では前記スピーカー７００の音の出力部分を下方に向けているが、表示装置１の前方側へ音が出力されるように、前記第２のカバー部材４０２の底面側に形成された出力孔４０２ｈが前傾となるよう成形している。そのため、前記第２のカバー部材４０２を表示装置アッセンブリ２００に取付けたときには、前記第２のカバー部材４０２の底面側は若干傾斜した状態で取付けられる。また、スピーカー７００から出力される音質の向上を図るため、前記スピーカー取付部４０２ａの後方側に複数の微細孔４０２ｅ，４０２ｅ，・・を形成している。そして、前記第１のカバー部材４０１と前記第２のカバー部材４０２は連結した構造としており、前記第２のカバー部材４０２のスピーカー取付部４０２ａ，４０２ａに取付けられたスピーカー７００，７００から出力される音が第１のカバー部材４０１の中を通って出力されることで、別途スピーカーボックスを設けることなく音質の向上を図っている。さらに、前記スピーカー７００の振動によって、前記第１のカバー部材４０１と前記第２のカバー部材４０２の内部で発生する熱を前記微細孔４０２ｅ，４０２ｅ，・・から放熱する効果も奏する。なお、前記第１のカバー部材４０１と前記第２のカバー部材４０２の連結構造については後述する。
【００２４】
また、本考案の実施例では、前記第２のカバー部材４０２の上部に複数の凸部４０２ｆ，４０２ｆ，・・を形成している。前記凸部４０２ｆ，４０２ｆ，・・はバックシャーシ２０４に当接して取り付けられ、スピーカー７００，７００の振動によって前記第２のカバー部材４０２が前記バックシャーシ２０４と干渉して不快な音、所謂ビビリ音の発生を抑えるために設けられている。一般的にこのビビリ音を抑制する手段として別途不織布を介在させる方法があるが、本実施例のように複数の凸部４０２ｆ，４０２ｆ，・・を形成して当接する構造とすることによって、不織布が無くてもビビリ音を抑えることが出来る。尚、本実施例では前記第２のカバー部材４０２の上部にのみビビリ音を抑えるための凸部４０２ｆを形成した場合について説明したが、本考案は上述の構成に限定するものでは無く、必要に応じて前記第２のカバー部材４０２と前記バックシャーシ２０４とが当接する箇所に前記凸部４０２ｆを形成しても良い。
【００２５】
ところで、前記第２のカバー部材４０２の一方側面には、複数の押圧部を有する操作部４０２ｂが一体に形成されており、前記操作部４０２ｂの内面側には複数のスイッチが配設された操作基板３０３を取付けるための操作基板取付部４０２ｃが形成されている。そして、前記操作基板取付部４０２ｃに前記操作基板３０３が取付けられている。また、前記第２のカバー部材４０２には、受光部と発光部が配設された受発光基板３０４を取付けるための受発光基板取付部４０２ｄが形成されている。そして、前記受発光基板取付部４０２ｄに前記受発光基板３０４が取付けられている。
【００２６】
なお、表示パネルアッセンブリ２００に前記第２のカバー部材を取付けることで前記受発光基板３０４と対向位置にあるフロントベゼル２０１には、表示装置１００を遠隔操作するリモコンの信号を受光部へ誘導する受光誘導部２０１ｈと、前記表示装置１００の状態を視覚的に認識するための発光部の光を外部へ誘導する発光誘導部２０１ｉが設けられている。
【００２７】
つぎに、前記第１のカバー部材４０１と前記第２のカバー部材４０２の連結構造について詳述する。前記第１のカバー部材４０１の下方側には、ねじを挿通する締結ボス４０１ｃを設け、前記第２のカバー部材４０２の上方側には、前記締結ボス４０１ｃと重合してねじを挿通する連結ボス４０２ｉを設けている。そして、前記第１のカバー部材４０１と前記第２のカバー部材４０２を前記表示パネルアッセンブリ２００の背面側に取付け、締結ボス４０１ｃと連結ボス４０２ｉを重合し、ねじにて締結することで、前記第１のカバー部材４０１と前記第２のカバー部材４０２を連結した状態で取付けることが出来る。
【００２８】
前記第１のカバー部材４０１と前記第２のカバー部材４０２を連結することで概略逆Ｔ字形状を成し、前記表示装置１００の補強が可能となる。具体的には、前記表示パネルアッセンブリ２００の幅とほぼ同じ寸法を有する第２のカバー部材４０２を取付けることで前記表示装置１００の横方向の剛性をもたせることが出来、さらに第１のカバー部材４０１を前記第２のカバー部材４０２と連結することで、前記表示装置１００の縦方向の剛性をもたせることが出来る。
【００２９】
また、第１のカバー部材開口部４０１ｂと第２のカバー部材開口部４０２ｇによって内部空間を連結することで、スピーカー７００から出力される音質の向上を図ることが出来、さらには、前記スピーカー７００の出力によって内部の空気を振動させ、電源基板３０１，制御基板３０２，駆動回路基板２０２ｂ，光源２０３の熱を微細孔４０２ｅ，４０２ｅ，・・から外部へ放出する効果も得られる。
【００３０】
なお、本考案の実施例では、表示パネルアッセンブリ２００の背面側を成すバックシャーシ２０４を第１のカバー部材４０１と第２のカバー部材４０２と同色で塗装するのが望ましく、特に黒色で塗装するのが好ましい。これは、前記バックシャーシ２０４の一部が、第１のカバー部材４０１と第２のカバー部材４０２と共に表示装置１００の背面外装部分となるためである。また、別の効果として、前記バックシャーシ２０４を黒色で塗装することにより、各種基板に配設された発熱部品の放熱効果が望める。
【００３１】
以上、本考案の実施例について詳述したが、本考案は前記実施例に限定されるものではなく、本考案の主旨の範囲内で種々の変形実施が可能である。
【符号の説明】
【００３２】
１００    表示装置
２００    表示パネルアッセンブリ
２０１    フロントベゼル
２０１ｈ  受光誘導部
２０１ｉ  発光誘導部
２０２    液晶セル
２０２ｂ  駆動回路基板
２０２ｃ  フレキシブルプリント配線板
２０３    光源
２０４    バックシャーシ
２０５    導光板
２０６    光学シート
２０７    ミドルフレーム
２０８    反射シート
３０１    電源基板
３０２    制御基板
３０３    操作基板
３０４    受発光基板
４０１    第１のカバー部材
４０１ａ  仕切リブ
４０１ｂ  第１のカバー部材開口部
４０１ｃ  締結ボス
４０２    第２のカバー部材
４０２ａ  スピーカー取付部
４０２ｂ  操作部
４０２ｃ  操作基板取付部
４０２ｄ  受発光基板取付部
４０２ｅ  微細孔
４０２ｆ  凸部
４０２ｇ  第２のカバー部材開口部
４０２ｈ  出力孔
４０２ｉ  連結ボス
５００    支持板
６００    スタンド
７００    スピーカー
７００ａ  ダンパー
８００    金型
８００ａ  可動側金型
８００ｂ  固定側金型
【図１】
0003179027.tif 000003
【図２】
0003179027.tif 000004
【図３】
0003179027.tif 000005
【図４】
0003179027.tif 000006
【図５】
0003179027.tif 000007
【図６】
0003179027.tif 000008
【図７】
0003179027.tif 000009
【図８】
0003179027.tif 000010
【図９】
0003179027.tif 000011
【図１０】
0003179027.tif 000012
【図１１】
0003179027.tif 000013
【図１２】
0003179027.tif 000014